(57)【要約】【課題】板キーによるシャッター扉の施錠及び解錠の操作を無理なくスムーズに行い、且つキーの種類を多く設定することができるシャッター扉用シリンダー錠を提供する。【解決手段】シリンダー錠の回転プラグにＵ字形の２つの支片を備えたスライドバーを組込み、プラグの中央部にキー孔を設け、そのキー孔を中心にして両側に２つの支片を配置し板キーの両面に配列及び深さの異なるデインプルを設け、両面側よりタンブラーピンを作動するように構成することにより課題を解決する。【選択図】    図３
2004190406.tif 000002
【特許請求の範囲】
【請求項１】
シャッター扉に取付けられるケース本体（１０）に、板キーにより操作される回転プラグ（２０）とこの回転プラグを回転自在に収納するシリンダー（３０）とを備え、このシリンダーの内端に前記回転プラグ（２０）に結合されたロータ（１１）と、該ロータの歯に噛合ってケース本体（１０）の両端部より長手方向に進退移動するロックレバー（１２）とを設けたシャッター扉用シリンダー錠において、前記回転プラグ（２０）に該プラグの周側より出没するように先端に係止用ストッパー（２１ａ）を備えたＵ字形のスライドバー（２１）と、このスライドバーの進退移動を規制するタンブラーピン（２２）とを設け、前記スライドバー（２１）のＵ字形の２つの支片（２１ｂ、２１ｃ）を鍵孔（３１）を中心に左右に対向させるとともに、この両支片に鍵孔に差し込まれた板キーの表裏両面に相対向して該板面に形成されたデインプルに合致するとスライドバー（２１）の進退移動を許容するよう係合解除となる少なくとも１又は複数の前記タンブラーピン（２２）を左右両側に分けて配置してなることを特徴とするシャッター扉用シリンダー錠。
【請求項２】
前記タンブラーピン（２２）は、夫々の片側に前後及び上下に２列づつ配置されていることを特徴とする請求項１記載のシャッター扉用シリンダー錠。
【請求項３】
前記タンブラーピン（２２）は、間隔及び対向位置がづらされて配置されていることを特徴とする請求項１又は２記載のシャッター扉用シリンダー錠。
【請求項４】
左右に相対向して配置された前記タンブラーピン（２２）は夫々の頭部（２２ａ）が異なる長さに規定されていることを特徴とする請求項１乃至３のいづれか１項に記載のシャッター扉用シリンダー錠。
【発明の詳細な説明】
【０００１】
【発明の属する技術分野】
本発明は、建物のシャッター、その他の扉に組み込まれるシャッター扉用シリンダー錠に関する。
【０００２】
【従来の技術】
シャッター扉用シリンダー錠は、シャッター扉に取付けられる長方形の浅い箱形のケース本体に板キーにより操作される回転プラグ（内筒）とこの回転プラグを回転自在に収納するシリンダー（外筒）とを備えシリンダーの内端部にロータ及びこれに連動して進退移動するように連係したラック歯式のロックレバーとよりなるものが一般的である（例えば特許文献１参照）。
【０００３】
上記した従来のシリンダー錠は、回転プラグにタンブラーピンが組込まれ、板キーを挿し込むとキーの巾方向の側縁により一斉にセットされて回転プラグが回転可能となるように構成されている。通常は板キーの両側縁（エッジ）に凹凸を形成して凹凸の形状に応じてタンブラーピンが動作するものであるが、板キーの巾が大きいとスペースを制限する上に、板キーの板厚は１乃至２ミリメートルの薄いものであるため機能的にも種々の問題点を有していた。この問題を解決するための従来技術として、例えば特許文献２には、板キーの巾の大きい面を利用してキーの板面にデインプルを形成することでタンブラーピンを作動させる方法が開示されている。
【０００４】
【特許文献１】実用新案登録第３０２０６６４号公報（第６図）
【特許文献２】特開２０００−３１４２５０号公報（第６段落、第１図）
【０００５】
特許文献２に示す従来のシリンダー錠を図６に示す構造図を参照して説明する。
【０００６】
この従来のシリンダー錠６０は図６に示すように、回転プラグ６２に中心軸線を通る直径方向に左右一対のサイドバー（ストッパー部材）６８、６８を設け、タンブラーピン（ロックピン）６７を夫々ばね６６を附勢して左右２列にキー孔６４の反対側に設ける。キー孔６４は中心より外れた偏心位置に設けている。シリンダー（固定ケース）６１の内周面に係止凹部６５を設け板バネ６３の附勢によってサイドバー６８、６８の先端の係止突片６９をこの係止凹部に係止させるように構成している。シリンダー６１に対する回転プラグ６２の回転拘束が左右２箇所において行われる。
【０００７】
【発明が解決しようとする課題】
上記のように従来の図６に示す構造のものでは、キー孔が中心より一方へ偏った位置にあるためキーの操作が円滑且つ容易に行い難かった（第１の課題）。
【０００８】
キー孔が一方へ偏った分片方に広いスペースが確保できるものの、２列のタンブラーピンは板キーの片面に対してのみの利用となり、ピッキング防止、防犯上の観点より高性能で多種多様な組合わせの実現が期待できない（第２の課題）。
【０００９】
本発明は、板キーによるシャッター扉の施錠及び開錠等の操作を円滑且つ容易にできること、及びタンブラーピンを前後及び上下に並べたものを左右に配列する構成が可能となり、キーの種類を多く設定することを目的とする。
【００１０】
【課題を解決するための手段】
本発明に係る第１のシャッター扉用シリンダー錠は、シャッター扉に取付けられるケース本体１０に、板キーにより操作される回転プラグ２０とこの回転プラグを回転自在に収納するシリンダー３０とを備え、このシリンダーの内端に前記回転プラグ２０に結合されたロータ１１と、該ロータの歯に噛合ってケース本体１０の両端部より長手方向に進退移動するロックレバー１２とを設けたシャッター扉用シリンダー錠において、前記回転プラグ２０に該プラグの周側より出没するように先端に係止用ストッパー２１ａを備えたＵ字形のスライドバー２１と、このスライドバーの進退移動を規制するタンブラーピン２２とを設け、前記スライドバー２１のＵ字形の２つの支片２１ｂ、２１ｃを鍵孔３１を中心に左右に対向させるとともに、この両支片に鍵孔に差し込まれた板キーの表裏両面に相対向して該板面に形成されたデインプルに合致するとスライドバー２１の進退移動を許容するよう係合解除となる少なくとも１又は複数の前記タンブラーピン２２を左右両側に分けて配置してなることを特徴とする。
【００１１】
上記の構成により板キーによるシャッター扉の施錠及び解錠等の操作を楽に行うことができ、キーの種類も多く設定できる。
【００１２】
本発明に係る第２のシャッター扉用シリンダー錠は、タンブラーピン２２は、夫々の片側に前後及び上下に２列づつ配置されていることを特徴とする。
【００１３】
上記構成により板キーに対して板面の表裏両面に４本づつ合せて８本のタンブラーピンを配置することができる。
【００１４】
本発明に係る第３のシャッター扉用シリンダー錠は、タンブラーピン２２は、間隔及び対向位置がづらされて配置されていることを特徴とする。
【００１５】
斯る構成によりタンブラーピンの配列及び配置をさらに多く設定できる。
【００１６】
本発明の第４のシャッター扉用シリンダー錠は、左右に相対向して配置された前記タンブラーピン２２は夫々の頭部２２ａが異なる長さに規定されていることを特徴とする。
【００１７】
上記構成により、タンブラーピンの種類を頭部のみの変化でさらに多種類の設定が可能となる。
【００１８】
【発明の実施の形態】
以下、添付図面を参照して本発明の好ましい実施例を説明する。
【００１９】
図１乃至図５は本発明の一実施例を説明するための図であり、図１は本発明のシャッター扉用シリンダー錠全体の平面図、図２は図１におけるＡ−Ａ線の拡大断面図、図３はシリンダー錠の要部の説明図で、（ａ）は立面図、（ｂ）はＢ−Ｂ線の断面図である。また図４（ａ）は回転プラグの側面図、同（ｂ）は板キーの平面図、図５は要部部品を示す説明図で（ａ）はスライド部材、（ｂ）はタンブラーピンの夫々の斜視図である。
【００２０】
先づ図１及び図２を参照してシャッター扉用シリンダー錠全体について説明する。図において、１０は平面長方形のケース本体で、その両側の短辺に切欠き１０′、１０′が形成されている。ケース本体１０の内部には中央部の座にロータ１１とその上に重ねて回転プラグ２０を回転自在に収納したシリンダー３０が設置され、ロータ１１を挟んでロータの歯に噛合ってケースの長手方向に２本のロックレバー１２、１２が前記短辺の切欠き１０′、１０′より外方へ突出するように設けられている。
【００２１】
シリンダー３０に内装された回転プラグ２０の鍵孔３１に板キー１を差し込むと、回転プラグ２０はフリーになるので板キーの操作で回転プラグを施錠方向又は解錠方向へ回わすとロータ１１がこれとともに同方向に回動する。このロータの回動によりロータの歯車に噛合っているロックレバー１２、１２が同時に摺動しケース本体１０の短辺の切欠き１０′、１０′より伸長方向に突出し、又は短縮方向に退入する。このロックレバー１２、１２の進退移動により夫々の先端に連結した鍵杆（不図示）にてシャッター扉を施錠し又は解錠するものである。このようなシャッター扉の施錠及び解錠操作は扉の内側よりは、プラグ２０の内端に設けたノブ３５によっても行うことができる。
【００２２】
次に図３乃至図５を参照してケース本体１０に設けられているシリンダー錠について説明する。シリンダー錠は板キーにより操作される回転プラグ２０とこの回転プラグを回転自在に収納したシリンダー３０とからなる。回転プラグ２０にはその周側の一部より出没するように先端に係止用ストッパー２１ａを備えたＵ字形のスライドバー２１とこのスライドバーの進退移動を規制するように配備された複数のタンブラーピン２２とを具有する。回転プラグ２０には、その上端にキーを差込む鍵孔３１が設けられている。この鍵孔３１は平面からみて長方形で、その位置は中心部に上下に貫通した縦孔として形成されている。
【００２３】
スライドバー２１は図３及び図５（ａ）に示すように一定の巾（ｗ）と厚み（ｔ）を有したＵ字形の形材で相対向した２つの支片２１ｂ、２１ｃを設けたもので、Ｕ字部の外端部（先端）に係止用ストッパー２１ａを具有する。２つの支片２１ｂ、２１ｃは間隔（ｓ）を隔てて対向しており、この各支片にタンブラーピン２２が摺動自在に挿通する係止孔２４が穿設されている。このような係止孔２４は図示例では両支片に前後及び上下に夫々間隔を隔てて２列に形成し、片面で４個、両面で合計８個設けることが望ましい。しかし、この係止孔２４の数や配置、間隔等は多種類の組合せがあり、このため図示例の如くのみに限定されるべきでない。
【００２４】
タンブラーピン２２は、図３及び図５（ｂ）に示すように、円錐形の頭部２２ａと胴部２２ｂとを茎部（細軸部）２２ｃを介して一体形成され、後部にばね受け２２ｄを有する。頭部２２ａと胴部２２ｂの直径（ｄ）は同径であることが好ましい。また、各タンブーピンの胴部２２ｂの長さは一定であるが、頭部２２ａは長さを異なる寸法に規定することが好ましい。
【００２５】
回転プラグ２０に上記のスライドバー２１を収容するスライドバー収容孔２６と、ダンブラーピン２２を収容するタンブラーピン収容孔２８を設ける。スライドバー収容孔２６はスライドバーの係止用ストッパー２１ａが臨む開口部２６ａと、２つの支片２１ｂ、２１ｃが嵌入してスライド案内を許容する細溝孔からなるガイド部２６ｂ、２６ｃを有してなる。このような収容孔２６にスライドバー２１を収容すると、該スライドバー２１は２つの支片２１ｂ、２１ｃが鍵孔３１を中間に内包した形でガイド部２６ｂ、２６ｃに案内されて径方向にスライドし得る。スライドバー２１にばね２５を附勢し該ばねの弾発力でスライドバー２１が外方へ押しやられて先端の係止用ストッパー２１ａがシリンダー３０内壁の係止凹部３３に係止可能となる。
【００２６】
タンブラーピン収容孔２８はスライドバー収容孔２６と直交する向きに設けられ、夫々の収容孔２６に頭部２２ａを中心部内向きに挿入し後端部にばね２９を附勢する。ばね２９は各タンブラーピン２２の後端部２２ｄと収容孔の開口部に嵌止したばね受け用プレート２７との間に圧縮状態で介装される。このようにすると、タンブラーピン２２は夫々中心内方へばね圧により押しやられるため、先端の頭部２２ａは鍵孔３１内に臨みキーが差し込まれると、その板面に弾圧的に当接される。
【００２７】
板キー１は、鍵孔３１に嵌入しうるように断面形状が規定されているとともに、その表面２と裏面３に前記タンブラーピン２２の配置に対応した部位にデインプル（凹所）４、５が形成されている。このようなデインプル４、５は板キー１の表面２と裏面３に前後及び上下に配置される。デインプル４、５の深さは夫々異なるように規定することが望ましい。また表面と裏面のデインプル４、５の対応位置はずらせるようにすることが好ましい。しかし、対応位置を一致させるようにしても差仕えない。
【００２８】
次に図３を参照してシリンダー錠の作用について説明する。
【００２９】
図３は解錠時の状態を示している。シリンダー錠がロックされている状態では、スライドバー２１はばね２５に押されて先端のストッパー（突片）２１ａがシリンダー３０の内壁の係止凹部３３に嵌入係止され、同時に各タンブラーピン２２はばね２９に押されて夫々の胴部２２ｂがスライドバー２１の支片２１ｂ、２１ｃの係止孔２４に嵌入している。この為スライドバー２１はタンブラーピン２２により後方へのスライドが阻止され且つストッパー２１ａと係止凹部３３との係止により回転方向に対しても阻止されている。
【００３０】
このロックされた状態から次に回転プラグ２０の鍵孔３１に板キー１を所定位置まで押し込んでセットすると、各タンブラーピン２２は板キーの表面２と裏面３にタンブラーピン２２の頭部２２ａが当り、夫々のテーパの作用でばね２９を圧縮して後退させ、セット位置ではデインプル４、５により夫々の後退位置が規定され、この時タンブラーピン２２の胴部２２ｂがスライドバー２１の係止孔２４より抜脱して代りに茎部２２ｃが係止孔２４に臨む如くになるため、スライドバー２１は後方移動への拘束が解除される。この拘束解除の状態で板キー１を解錠方向へひねるように回動させると、ストッパー２１ａはテーパによるカムの作用で係止凹部３３より抜脱する。板キー１の操作によりプラグ２０を所定角回動させるとプラグとともにロータ１１が回動してロックバー１２、１２を退入方向へ移動させるため、シャッター扉に解錠される。
【００３１】
板キー１を鍵孔３３に差し込んだときに、該キーが不正なものであれば、例えばデインプルの深さ或いは位置が１つでも違ったものであればその１つのタンブラーピンは頭部又は胴部の何れかがスライドバー２１の係止孔２４に嵌入係止されたままになるので、スライドバーの拘束は解除されないので、シャッター扉は解錠できないことは云うまでもない。
【００３２】
【発明の効果】
本発明に係るシャッター扉用シリンダー錠によると、鍵孔は偏った位置にしないで回転プラグの中心に設けることができるため、板キーによるシリンダー錠の操作を楽に円滑に行うことができるとともに、板キーの表裏両面を利用してタンブラーピンを左右に配列することでキーの種類を従来より２倍以上多く設定することが容易に可能である。また、構成、部品が少なく、簡素化できて加工工数も少なくて済み、而も耐久性の高い高品質のシャッター扉用シリンダー錠を提供することができる。
【図面の簡単な説明】
【図１】本発明のシャッター扉用シリンダー錠全体のカバーを除いた平面図である。
【図２】図１におけるＡ−Ａ線の拡大断面図である。
【図３】本発明のシリンダー錠の要部の拡大図で、（ａ）は縦断正面図、（ｂ）は同Ｂ−Ｂ線の横断平面図である。
【図４】（ａ）は回転プラグの側面図、（ｂ）は板キーの斜視図である。
【図５】本発明の各要部の部品を示し、（ａ）はスライドバー、（ｂ）はタンブラーピン夫々の斜視図である。
【図６】従来のシリンダー錠を示す説明図である。
【符号の説明】
１        板キー
１０      ケース本体
１１      ロータ
１２      ロックレバー
２０      回転プラグ
２１      スライドバー
２１ａ    係止用ストッパー
２１ｂ、２１ｃ  支片
２２      タンブラーピン
２４      係止孔
２６      スライドバー収容孔
２８      タンブラーピン収容孔
３０      シリンダー
３１      鍵孔
３３      係止凹部
【図１】
2004190406.tif 000003
【図２】
2004190406.tif 000004
【図３】
2004190406.tif 000005
【図４】
2004190406.tif 000006
【図５】
2004190406.tif 000007
【図６】
2004190406.tif 000008